(57)【要約】      （修正有）【課題】カーテンとしての装飾性を損なうことなく、部屋に差し込む紫外線の透過を抑制するカーテンを提供する。【解決手段】カーテン１の表面に凹凸模様を形成し、この凹凸模様にて紫外線がカーテン生地を透過しにくいようにしている。【選択図】図２
2017225517.tif 000002
【特許請求の範囲】
【請求項１】
部屋の窓に吊設されるカーテンにおいて、該カーテンの表面に凹凸模様を形成し、部屋に差し込む紫外線の透過を抑制するようにしたことを特徴とする凹凸模様を形成したカーテン。
【請求項２】
上記凹凸模様を、型ロールと表面に樹脂層を有した受けロールから成るエンボス加工装置にて成形した請求項１記載の凹凸模様を形成したカーテン。
【発明の詳細な説明】
【技術分野】
【０００１】
本発明はエンボス加工などを施した生地を使用して紫外線の遮蔽率を向上させたカーテンに関するものである。
【背景技術】
【０００２】
部屋に設けた窓にはカーテンを吊設する場合が多く、カーテンは生活環境の快適性を向上させ、インテリアとしても重要な役割を果たしている。
そして、カーテンは光や熱、及び音が透過しにくいように遮蔽する基本的機能とともに、審美性、豪華さ、色彩などの装飾性を表現することで、機能性と装飾性の２つの役割を果たしている。
【０００３】
従来、遮光用カーテンと称されるものは知られているが、厚地のドレープ、又は完全遮光を目的とした暗幕カーテンは、緻密で２重乃至３重組織の厚地としたり、又は生地に隠蔽性のある樹脂塗膜をラミネートしたり、さらには直接コーティングで施したものなどがある。このような従来の遮光用カーテンは、厚手の布地を使用するのでカーテンとしての重量が重くなると共に、色彩などの装飾性を発揮させることが出来なく、その為にカーテンとしての装飾性が損なわれ、インテリアとして使うことは出来ない。
【０００４】
しかし、全てのカーテンが１００％の遮光性を求められるものではなく、部屋のインテリアとしての装飾性を鑑みる場合、ある程度の採光性が要求される。しかし、紫外線の遮蔽率は８０％以上であることが必要である。
その為に、装飾性を有す一般的なレースカーテンでありながら、紫外線の透過を抑制出来ることが好ましい。
【０００５】
実用新案登録第３１９０３８３号に係る「光を取り入れやすくなる切替レースカーテン」は、簡単な構造で目的とするフレキシブルに採光性を変化させながらも、断熱性、紫外線遮蔽性、遮像性、保温性の維持が可能となるレースカーテンである。
そこで、該レースカーテンは高さ方向の上端部分に取付部を備え、高さ方向の下端部分に裾部を備えたもので、左右の中央部よりも左側または右側に偏倚した位置を境界として左側に至る領域を左側幕部、右側に至る領域を右側幕部とし、その境界部分で前記取付部から裾部に至るまでを継ぎ合わせる。そして、左側幕部と右側幕部のうち、面積の小さい幕部は面積の大きい幕部より採光性のある生地を使用し、面積の大きい幕部は単独でも指定巾（建物窓部を覆ったり、室内の空間を仕切るのに必要な顧客の指定する巾）を充足しており、その指定巾を超えて面積の小さい幕部を継ぎ合わせている。
【０００６】
実用新案登録第３１４９８９９号に係る「レースカーテン」は、簡単な構造で、目的とする目隠し効果や紫外線遮蔽効果、断熱効果が安定して得られると共に、通気性が有利に発揮されるレースカーテンである。
すなわち、該レースカーテンは高さ方向の上端部分に取付け部を備え、高さ方向の下端部分に裾部を備えたレースカーテンであり、高さ方向の中央部分よりも取付け部の側に偏倚した位置を境界として、裾部に至る領域を下側幕部とし、取付け部に至る領域を下側幕部よりも編み目が大きな上側幕部としている。
【０００７】
このように、採光性のあるレースカーテンでありながら紫外線遮蔽効果を備えたカーテンが知られている。しかし、該レースカーテンは異なる生地を繋ぎ合わせて構成したもので、カーテンとしての装飾性が損なわれる。
【特許文献１】実用新案登録第３１９０３８３号に係る「光を取り入れやすくなる切替レースカーテン」
【特許文献２】実用新案登録第３１４９８９９号に係る「レースカーテン」
【発明の開示】
【発明が解決しようとする課題】
【０００８】
このように、ある程度の採光性を有すと共に紫外線遮蔽効果を備えたカーテンは知られているが、その形態からカーテンとしての装飾性が損なわれるといった問題がある。本発明が解決しようとする課題はこの問題点であり、部屋のインテリアとしての効果及び装飾性を損なうことなく、採光性と紫外線遮蔽効果を有すカーテンを提供する。
【課題を解決するための手段】
【０００９】
本発明に係るカーテンは、その基本的な形態は従来のものと共通し、上縁には吊具を一定ピッチで取付け、該吊具は上レールに沿って移動するスライダーに係止されている。したがって、上記スライダーが上レールに沿って移動することでカーテンは開閉することが出来、この構造は従来の一般的なカーテンと共通している。
そして、カーテン生地の種類や材質、及び上レールや吊具、それにスライダーの形態に関しては特に限定しないことにする。
【００１０】
ところで、本発明のカーテンは表面に凹凸模様を形成したものであり、この凹凸模様によって紫外線を遮蔽する機能を向上させている。すなわち、表面に形成した凹凸に光が当たる場合、そのまま透過することなく一部は乱反射してその分だけ光の透過が抑制される。
ただし、具体的な凹凸模様の形態は限定せず、また凹凸模様の加工方法に関しても自由である。一般的には対を成すロールの間を通過させることで、一方のロール面に設けた凹凸が転移することが出来る。
【発明の効果】
【００１１】
本発明のカーテンは、その表面が凹凸化している為に、紫外線の遮蔽効果が向上する。したがって、該カーテンを閉め切ることで部屋の内部にある物品が紫外線の影響を極力軽減することが出来る。例えば、部屋の床面に紫外線が当たることによる色褪せが抑制され、その他の置物を紫外線から守ることが可能となる。
そして、本発明のカーテンは凹凸模様として形成され、その為に、カーテンの装飾性並びにインテリアとしての効果が損なわれることはない。
しかも、表面の凹凸模様は見る方向によってカーテンの色彩が変化し、多様化する。
【図面の簡単な説明】
【００１２】
【図１】上レールに吊設されているカーテン。
【図２】カーテンの表面に形成される凸部形状を示す具体例。
【図３】カーテン生地に凹凸部を形成するエンボス加工装置。
【発明を実施するための形態】
【００１３】
図１はカーテンが上レール（カーテンレール）に吊設されている場合で、同図の１はカーテン、２は吊具、３はスライダー、４は上レールをそれぞれ示している。該カーテン１の上縁５には一定ピッチで上記吊具２，２・・・が取付けられ、該吊具２，２・・・は上レール４に遊嵌してスライドするスライダー３，３・・・と連結している。
したがって、上記スライダー３，３・・・が上レール４に沿って移動することでカーテン１は開閉することが出来る。
【００１４】
このように、上レール４に吊設されるカーテン１の形態は従来と同じであるが、本発明のカーテン１はその表面に凹凸を形成している。この凹凸はカーテンの立体的模様となり、該カーテン１の装飾性を大きく向上することが出来る。
一方、凹凸模様は見る方向にて色彩に変化を与え、カーテン自体を多様化することが出来る。
【００１５】
図２（ａ）〜（ｃ）はカーテン１の表面に形成した模様としての凹凸形状を示す具体例であり、（ａ）は球形凸部６を表し、（ｂ）は角形凸部７を表し、（ｃ）は角錐形凸部８を表している。すなわち、大きなカーテン１に球形凸部６，６・・・が縦横方法に形成され、また角形凸部７，７・・・が縦横方向に形成され、さらに角錐形凸部８，８・・・が縦横方向に形成されている。そして、これら各凸部の間には凹部が形成されることになる。
【００１６】
これら球形凸部６，６・・・、角形凸部７，７・・・、角錐形凸部８，８・・・が縦横方向に一定ピッチで形成されることで、これら各凸部はカーテン１の表面に立体模様となって表現される。また、これら各凸部は見る方向にてカーテン１の色彩に変化を与え、該カーテン１の外観が多様化する。
ところで、図２に示す凸部形態はあくまでも具体例に過ぎない。また、同図は凸部の断面を表しており、凸部正面の形態に関しても自由である。
例えば、球形凸部６の正面形状は円形に限るものではなく、角形凸部７の正面形状は正方形ではなく長方形とすることもあり、角錐形凸部８の正面形状も正方形に限定はしない。
【００１７】
ところで、カーテン１に上記球形凸部６，６・・・、角形凸部７，７・・・、及び角錐形凸部８，８・・・を形成して凹凸面とすることで、外から差し込む光を抑制し、特に紫外線を遮蔽する効果が大きい。
すなわち、凹凸面を形成したカーテン１に光が当たることで、ストレートにカーテン生地を透過することなく、一部は乱反射することになる。
【００１８】
図３は上記凹凸面を加工する実施例で、エンボス加工装置を示している。このエンボス加工装置は、互いに対を成す型ロール９と受けロール１０にて構成され、該型ロール９及び受けロール１０はモータなどの駆動装置によって回転駆動される。ここで、型ロール９の表面には凸部１１，１１・・・が設けられ、凸部１１，１１・・・の間は凹部１２，１２・・・と成っている。
【００１９】
ここで、型ロール９の表面に設けている凸部１１，１１・・・、及び凹部１２，１２・・・は腐食加工やレーザー加工にて、又は切削加工などにて作ることが出来る。
そして、型ロール９の表面に形成される凸部１１及び凹部１２は、一般に全て同じ形状であるが、２〜３種類の形状にて凸部１１及び凹部１２を形成する場合もあり、型ロール９が１回転することで複数の凹凸模様がカーテン生地１４に加工される。
【００２０】
一方、受けロール１０はその表面に樹脂層１３を設けている。時には、複数の樹脂層にて構成し、表面側を柔らく、中心側を硬い樹脂層とすることが出来る。
例えば、樹脂層１３としてシリコン樹脂を使用することが出来、対を成して配置されている上記型ロール９の凸部１１，１１・・・は樹脂層１３に食い込んで回転することになる。
【００２１】
ところで、対を成して配置した型ロール９と受けロール１０の間にカーテン生地１４が挟まれ、型ロール９及び受けロール１０が回転するならば、回転と共にカーテン生地１４は移動する。そして、型ロール表面の凸部１１，１１・・・が受けロール１０の樹脂層１３に食い込むことで、挟まれたカーテン生地１４には凹凸模様が加工される。
ここで、本発明のカーテン１の生地質並びに表面に形成される凹凸模様の形状は前記した通り限定しないが、また凹凸模様を加工する手段に関しても限定しない。上記図３に示すエンボス加工刃あくまでも１具体例に過ぎず、例えば金型を用いて加熱すると共に型押し加工することも可能である。
【符号の説明】
【００２２】
１   カーテン
２   吊具
３   スライダー
４   上レール
５   上縁
６   球形凸部
７   角形凸部
８   角錐形凸部
９   型ロール
10   受けロール
11   凸部
12   凹部
13   樹脂層
14   カーテン生地
【図１】
2017225517.tif 000003
【図２】
2017225517.tif 000004
【図３】
2017225517.tif 000005